(57)【要約】【課題】  防草シ−トによる雑草の抑制効果を高め、さらにその効果を長期間持続させること。【解決手段】  防草シ−トを敷設した場合既存雑草は防草シ−トを突きぬけたり、施工時に生じる傷口や構造物との間に生ずる界面から生育する。防草シートを地表より浮かせて敷設した場合、地中を抜けてきた雑草はこの空気に触れることにより、地上に出たことを認識し葉を展開してしまう。この状態では防草シートを突き抜ける力が激減することを利用して防草シートで被覆された部分の雑草が発芽・生育したり、除草後再生したりして繁茂することを防止することができる。そして空気層を設けることにより、防草シートが降雨後すばやく乾燥するため、飛散してきた種子は発芽、生育に充分な水分が供給されず、その結果雑草の生育を防止できる。【選択図】      図１
2005080505.tif 000002
【特許請求の範囲】
【請求項１】
防草シートを地表より浮かせて敷設することにより地表と防草シートの間に空気層を設け、防草シートで被覆された部分の雑草が繁茂することを防止するとともに、空気の層を設けることにより、防草シートが降雨後はすばやく乾燥することを利用し、飛散してきた種子が防草シート上で発芽・生育することを防止し、さらに、防草シートをすばやく乾燥状態に戻すことにより微生物の活動を抑え、防草シートの劣化を遅らせる方法。
【請求項２】
防草シートを敷設した際に、草地と舗装部分や縁石、建築物、ガードレール、樹木等との界面に生じる隙間から雑草を生育させないことと、飛散してきた種子がこの隙間にたまる砂埃を生育基盤として発芽生育することを防止するために、防草シートの界面部分を重ね合わせることと、重ね合わせた部分に空気層を設け雑草が繁茂することを防止する方法。
【発明の詳細な説明】
【技術分野】
【０００１】
本発明は防草シートの雑草抑制効果を飛躍的に高めるとともに、その効果を長く持続ためのものである。
【背景技術】
【０００２】
従来の技術では施工直後から防草シートに被覆された部分の雑草が生育を始める場合がかなりある。それは雑草が防草シートを突きぬけてくる場合も、防草シートを固定する際に生じる傷口から突きぬけてくる場合も、舗装部分や縁石、建築物等との界面やガードレール、樹木等の施設物との界面に生育する場合もある。また、飛散してくる種子には無防備であり、施工後数年間で雑草が繁茂してしまうことも多い。
【０００３】
そこで発明者は原因の究明にかかり、その原因は防草シートが地表に直接敷設されるため、雑草が防草シートを突きぬけてから葉を展開するため防草シートを突きぬける力が大きいこと、防草シートの固定の際に生じる傷口から多く生育すること、草地と舗装部分や縁石、建築物等との界面やガードレール等の施設物との界面に雑草が生育すること、防草シートに飛散した種子は発芽時期に降雨後発芽して防草シート上で生育することにあると考え、この原因を除去する方法を考えた。
【発明の開示】
【発明が解決しようとする課題】
【０００４】
しかしながら従来の施工技術では、防草シートが地表に直接に敷設される。防草シートの下の雑草はこの防草シートを土壌の延長と認識しているようであり、防草シートを突きぬけてから葉を展開する。また防草シート固定の際に生じる傷口や、草地と舗装部分や縁石等との界面やガードレール等の施設物との界面に雑草が生育すること、さらに、防草シートの直下は土壌であるため降雨後は発芽に必要な水分が得られるため、防草シート上に飛散してきた種子が発芽し生育を開始する。
【０００５】
そこで本発明は、防草シートがかかる状況になることを抑止するための方法を提供することを課題とするものである。
【課題を解決するための手段】
【０００６】
請求項１の発明にかかる方法は、防草シートを敷設する前にネット、密度が疎なマット、砕石などの補助材を地表に敷設し、その上に防草シートを敷設することにより地表と防草シートの間に空気層を設け、防草シートで被覆された部分の雑草が発芽・生育したり、除草後再生したりして繁茂することを防止する方法である。さらに空気層を設けることにより、防草シートが降雨後にすばやく乾燥することを利用し、飛散してきた種子が防草シート上で発芽・生育することを防止し、さらに、防草シートをすばやく乾燥状態に戻すことにより微生物の活動を抑え、防草シートの劣化を遅らせる方法である。
【０００７】
請求項２の発明にかかる方法は、防草シートを敷設した際に、草地と舗装部分や縁石、建築物、ガードレール、樹木等との界面に生じる隙間から雑草を生育させないことと、飛散してきた種子がこの隙間にたまる砂埃を生育基盤として発芽生育することを防止するために、防草シートの界面部分を重ね合わせることと、重ね合わせた部分に空気層を設けることにより雑草が繁茂することを防止する方法である。
【発明の効果】
【０００８】
請求項１の発明にかかる方法は、防草シートを敷設する前に、ネット、密度が疎なマット、砕石などの補助材を地表に敷設し、その上に防草シートを敷設することにより地表と防草シートの間に空気層を設けることである。
【０００９】
地中を抜けてきた雑草は、防草シートが地表に直接敷設された場合、防草シートを地面の延長としてとらえ、防草シートを突きぬけてから葉を展開しようとする。
【００１０】
しかし防草シートを地表より浮かせて敷設した場合、地中をぬけてきた雑草はこの空気に触れることにより、地上に出たことを認識し葉を展開してしまう。この状態では防草シートを突きぬけることがほぼ不可能となること、また、被覆されているため光合成もほぼ不可能となりこの空気層で生育は不可能でありやがて枯死する。
【００１１】
さらに空気層を設けることにより、防草シートは降雨後にすばやく乾燥する。飛散してきた種子は発芽時期に降雨後防草シート上で発芽することは可能であるが、降雨後直ちに発芽できるわけではなく、発芽に必要な日数の期間は水分が供給されなければならない。したがって発芽個体数は激減する。その後生育するには防草シート内に根を下ろし、空気層をとおり、地中に根を下ろさなければならない。このような条件を得られることはほぼ不可能であり雑草の生育を抑えることができる。
【００１２】
さらに、防草シートをすばやく乾燥状態に戻すことにより微生物の活動を抑え、防草シートの劣化を遅らせることである。生分解性の防草シートを使用した場合は特に有効である。
【００１３】
請求項２の発明にかかる方法は、防草シートを敷設した際に、草地と舗装部分や縁石、建築物、ガードレール樹木等との界面に生じる隙間から、防草シートで被覆された部分の雑草を生育させないことと、また、飛散してきた種子がこの隙間にたまる砂埃を生育基盤として発芽生育することを防止するためのものである。
【００１４】
防草シートの界面部分を重ね合わせることで界面と地面を隔離することができ、この間を余分に伸長しなければ防草シートで被覆された部分の雑草は日照を得られないため、蓄積した養分を使い果たすことが多くなり枯死する。
【００１５】
重ね合わせた部分に空気層を設けることにより、たまった砂埃をすばやく乾燥させることと、重ね合わせることで界面と地面を隔離することで地面からの水分供給を断つことにより雑草が繁茂することを防止することができる。
【発明を実施するための最良の形態】
【００１６】
以下本発明にかかわる実施の形態について、図面を参照しつつ説明する。
【００１７】
請求項１の発明にかかるネット２を使用した実施の形態１について述べる。ネット２を用い防草シート１を地表９より浮かせて敷設することにより地表９と防草シート１の間に空気層３を設けることである。図６で示すように地中をぬけてきた雑草は、地表９に直接敷設された防草シート１を地面の延長ととらえ、防草シート１を突き抜けてから葉を展開しようとするため、突きぬけようとする力が強く、雑草の種類によってはアスファルトも突き破って出てくる。
【００１８】
しかし図１もしくは図５のように防草シート１を地表９より浮かせて敷設した場合、地中を抜けてきた雑草はこの空気層３の空気に触れることにより、地上に出たことを認識し葉を展開してしまう。この状態では防草シート１を突きぬけることも防草シート１を固定する際に生じる傷口から突きぬけることもほぼ不可能となること、また、被覆されているため光合成もほぼ不可能となりこの空気層で生育は不可能でありやがて枯死する。
【００１９】
また、発芽する際には上に伸びようとするが、遮蔽物がある場合そこを迂回することが多い。本実施の形態１ではネット２で作られた空気層３を防草シート１が包み込む形になっているため迂回しても防草シート１の外には出れない。一方図１１のように防草シート１が構造物の上に重なった場合、防草シート１と構造物の隙間を迂回する場合があるが、本実施の形態１では防草シート１が地表９に重ならないのでこのような事態を避けることができる。
【００２０】
ただし完全に零になるわけではないので、雑草の種類により防草シート１の強度と、設ける空気層３の厚さの調整が必要となるか、もしくは施工前に対象となる雑草の除去が必要な場合も考えられる。
【００２１】
さらに空気層３を設けることにより、防草シート１は降雨後にすばやく乾燥する。飛散してきた種子の一部は、窪んだ部分にはあらゆる種類の雑草が、平滑な部分でも鉤状の突起や粘液性の付着成分を有する種や、毛を有するものは防草シート１の上にとどまる。発芽時期に降雨により発芽に充分な水分が供給されれば、図６のように防草シート１が地表９直接敷設されていれば、これらの種子は発芽して防草シート１内に根を下ろし、やがて地表９にまで達し地中に根を下ろす固体もある。
【００２２】
飛散してきた種子は発芽時期に降雨後防草シート１上で発芽することは可能であるが、降雨後直ちに発芽できるわけではなく、発芽に必要な日数の期間は水分が供給されなければならない。図１もしくは図５のように空気層３があれば、防草シート１の乾燥が早まることで充分な水分が供給されず、したがって発芽個体数は激減する。その後生育するには防草シート１内に根を下ろし、空気層３をとおり、地中に根を下ろさなければならない。このような条件を得られることはほぼ不可能であり雑草の生育を抑えることができる。
【００２３】
さらに、防草シート１をすばやく乾燥状態に戻すことにより微生物の活動を抑え、防草シート１の劣化を遅らせる方法できる。生分解性の防草シートを使用した場合は特に有効である。
【００２４】
請求項２の発明にかかる実施の形態２においては、防草シート１を敷設した際に、草地と舗装部分や縁石、建物、ガードレール、標識、樹木等との界面に生じる隙間から、防草シート１で被覆された部分の雑草を生育させないことと、また、飛散してきた種子がこの隙間にたまる砂埃を生育基盤として発芽生育することを防止するためのものである。
【００２５】
図１２、図１３で示した２通りの界面が生じるが、防草シート１の界面部分を重ね合わせることや浮かせることで従来の界面１０を、新規の界面１１に移動させ、地面と隔離（図１２、図１３の矢印で示した移動距離１２）することができ、この間を余分に伸長しなければ防草シート１で被覆された部分の雑草は日照を得られないため、蓄積した養分を使い果たすことが多くなり枯死する。
【００２６】
重ね合わせた部分に空気層３を設けることにより、たまった砂埃をすばやく乾燥させることと、重ね合わせることで界面と地面を隔離（図１２、図１３の矢印で示した移動距離１２）することで地面からの水分供給を断つことにより飛散してきた種子が発芽、生育することを防止することができる。
【００２７】
ガードレール、標識、樹木等との小規模な界面は図７で示す補助的な防草シート（外円は構造物の大きさを示し、防草シートのサイズは外円直径＋約３０ｃｍの正方形とし、内円は切り抜き，破線部分を切り込んだもの）とネット２を用い実施の形態１と同様に予め処理しておくことで、障害物との界面に生じる隙間に雑草が生育することを効果的にかつ能率的に防止できる。
【００２８】
本発明を実施する際しては、空気層を設けるための補助材、界面処理の仕様、防草シートの固定方法、小規模な施設物との界面を処理するための補助的な防草シートなど、その他の部分の構成、形状、数量、材質、大きさ、接続関係等についても、上記各実施の形態に限定されるものではない。
【図面の簡単な説明】
【００２９】
【図１】本発明にかかる実施例の防草構造物の一部を略示的に示した断面図である。
【図２】図１の縁石との界面処理の詳細図である。
【図３】図２の他の例である。
【図４】図１の接合部の固定方法の他の例である。
【図５】同実施例で防草シートをつながない実施例である。
【図６】従来の施工例の一例である。
【図７】小規模な施設物との界面を処理する補助的な防草シートである。
【図８】従来の施工例の界面処理の模式図の一例である。
【図９】従来の施工例の界面処理の模式図の一例である。
【図１０】従来の施工例の界面処理の模式図の一例である。
【図１１】従来の施工例の界面処理の模式図の一例である。
【図１２】界面を地面から隔離する実施例の模式図の一例。
【図１３】界面を地面から隔離する実施例の模式図の他の例。
【符号の説明】
【００３０】
１    防草シート
２    ネット
３    空気層
４    止めピン
５    止めピン
６    止め板
７    止め板
８    縁石
９    地表
１０    従来の界面
１１  新規の界面
１２  界面の移動距離
【図１】
2005080505.tif 000003
【図２】
2005080505.tif 000004
【図３】
2005080505.tif 000005
【図４】
2005080505.tif 000006
【図５】
2005080505.tif 000007
【図６】
2005080505.tif 000008
【図７】
2005080505.tif 000009
【図８】
2005080505.tif 000010
【図９】
2005080505.tif 000011
【図１０】
2005080505.tif 000012
【図１１】
2005080505.tif 000013
【図１２】
2005080505.tif 000014
【図１３】
2005080505.tif 000015